(57)【特許請求の範囲】
【請求項１】
上階フロアと下階フロアとを循環経路に沿って循環走行するエスカレータにおいて、循環経路の対称の位置に設けられ車椅子を搭載可能な特殊踏段と、上階および下階に設けられ車椅子運転モードを選択する車椅子運転ボタン及びシャトル運転を選択するシャトル運転ボタンを有した運転操作盤と、上階および下階の双方またはいずれか一方で前記車椅子運転ボタンにより前記車椅子運転モードが選択されたときは選択された階床の双方またはいずれか一方の階床で特殊踏段を変形し車椅子運転を行い、前記車椅子運転ボタンが選択されかつ前記シャトル運転ボタンが選択されているときは、前記特殊踏段を上昇下降の往復運転とする制御装置とを備えたことを特徴とするエスカレータ。
【請求項２】
通常運転または車椅子運転の運転モードを出力させる出力装置を設けたことを特徴とする請求項１に記載のエスカレータ。
【請求項３】
前記運転操作盤に連続車椅子運転ボタンを設け、前記制御装置は、前記車椅子運転ボタンが選択されかつ前記連続車椅子運転ボタンが選択されているときは、前記特殊踏段を一定方向に循環させる連続車椅子運転を行うことを特徴とする請求項１または請求項２に記載のエスカレータ。
【請求項４】
前記制御装置は、前記特殊踏段に車椅子を搭載しない帰還運転を行う場合には、前記特殊踏段を途中まで復帰させた半収納状態で運転することを特徴とする請求項１乃至請求項３のいずれか１項に記載のエスカレータ。
【請求項５】
前記車椅子運転モードでの往復運転と通常の車椅子運転とで異なる音楽を出力させる音楽出力装置を設けたことを特徴とする請求項１乃至請求項４のいずれか１項に記載のエスカレータ。
【請求項６】
前記制御装置は、前記車椅子運転モードで往復運転または一定方向に循環させる連続車椅子運転を行うときは、通常の車椅子運転の速度より速い速度で運転することを特徴とする請求項１乃至請求項５のいずれか１項に記載のエスカレータ。
【発明の詳細な説明】
【０００１】
【発明の属する技術分野】
本発明は、上階フロアと下階フロアとを循環経路に沿って循環走行するエスカレータに関する。
【０００２】
【従来の技術】
エスカレータには車椅子利用者のための車椅子ステップが設けられており、車椅子運転の際に特殊踏段に変形してその特殊踏段に車椅子を搭載できるようにしている。図１３は従来の車椅子ステップ付きエスカレータの構成図である。
【０００３】
上階フロアには乗降板１０１Ｕが設けられ、下階フロアには乗降板１０１Ｄが設けられ、これら乗降板１０１Ｕ、１０１Ｄから乗客がエスカレータに乗り込むことになる。踏段１０２および特殊踏段１０３Ａ、１０３Ｂは、駆動装置１０５で駆動され、これら踏段１０２および特殊踏段１０３Ａ、１０３Ｂの側面には、パネル１０８が設けられデッキ１０７には手摺ベルト１０４が配置されている。手摺ベルト１０４は手摺駆動装置１０６で駆動される。
【０００４】
特に、車椅子ステップ付きエスカレータとして、車椅子を積載して運転するために、上階フロアおよび下階フロアの乗降口近くにおいて、補助ガイドレール１１０に対して特殊踏段検出リミットスイッチ１１１Ｕ、１１１Ｄが取付けられている。また、特殊踏段１０３Ａ、１０３Ｂに対する変形動作や収納動作のための給電装置１１２Ｕ、１１２Ｄが設けられている。
【０００５】
さらに、車椅子運転操作のための操作盤１１３Ｕ、１１３Ｄが上階および下階の乗降口においてパネル１０８に取付けられており、また上階下階の途中位置の適所に非常停止ボタン１１４が取付けられている。
【０００６】
踏段速度は踏段速度検出装置１１５で検出され、車椅子ステップ付きエスカレータの駆動制御のための通常運転用制御盤１２１、車椅子運転用制御盤１２２と車椅子運転用インバータ盤１２３とに入力されている。
【０００７】
ここで、車椅子運転用制御盤１２２は主制御盤である通常運転用制御盤１２１と別で記述しているが一体型としても良い。また、特殊踏段１０３Ａ、１０３Ｂは回転展開式または水平式のいずれであっても良い。
【０００８】
このような車椅子ステップ付きエスカレータで通常運転するときには、通常運転用制御盤１２１が駆動装置１０５を制御し、上り方向あるいは下り方向に踏段１０２及び特殊踏段１０３Ａ、１０３Ｂを通常速度（約３０ｍ／ｓｅｃ）で運転する。
【０００９】
車椅子運転するときには、上階から下階への運転の場合には上階側の操作盤１１３Ｕ、逆方向の運転の場合には下階側の操作盤１１３Ｄによって車椅子運転操作する。これにより、踏段１０２と特殊踏段１０３Ａ、１０３Ｂとが継続して駆動されるが、特殊踏段１０３Ａ、１０３Ｂが特殊踏段検出リミットスイッチ１１１Ｕまたは１１１Ｄの位置まで来て、それらによって検出された時に一旦踏段１０２、特殊踏段１０３Ａ、１０３Ｂの移動が停止される。
【００１０】
そして、給電装置１１２Ｕまたは１１２Ｄが特殊踏段１０３Ａ、１０３Ｂに車椅子運転用インバータ盤１２３から給電を受け、図１４に示すように変形展開して車椅子ステップを形成する。こうして、車椅子ステップが完全に形成された後、操作員が車椅子をその特殊踏段１０３Ａ、１０３Ｂ上に乗り込ませ、操作盤１１３Ｕまたは１１３Ｄの乗込確認ボタンを押す。これにより、図１４に示す車止め１０９が上昇して車椅子の輪留めをし、この後、車椅子運転用制御盤１２２は車椅子運転速度（通常速度よりも遅い、例えば１５ｍ／ｓｅｃ）で運行を再開して車椅子を下階へあるいは上階へ向かって移動する。
【００１１】
車椅子運転で特殊踏段１０３Ａ、１０３Ｂが下階あるいは上階の乗降口に近づき、反対側の特殊踏段検出リミットスイッチ１１１Ｄ、１１１Ｕによって到着を検出されると一旦停止する。そこで、車椅子を乗降口から降ろし、安全を確認して操作盤１１３Ｄ、１１３Ｕの確認ボタンを押すと、車椅子運転用制御盤１２２は車椅子運転完了と判断し、特殊踏段１０３Ａ、１０３Ｂを給電装置１１２Ｄ、１１２Ｕからの給電によって逆に折り畳み収納動作させ、通常の踏段１０２と同じ形に戻す。そして、車椅子運転終了ボタンが押されると、通常運転用制御盤１２１側に制御権が渡され、通常速度の運転に移行する。これにより、車椅子使用者でもエスカレータを利用して階間移動ができるようにしている。
【００１２】
【発明が解決しようとする課題】
ところが、このような従来のエスカレータでは、次のような問題点があった。車椅子運転を行う場合、車椅子運転を開始すると車椅子が搭載できるように特殊踏段を変形させて車椅子を積載して輸送し、着床すると特殊踏段を収納して通常運転に復帰するようにしている。
【００１３】
この場合、側えば、上下階で車椅子利用者が同時に待っているときや、上階あるいは下階に車椅子利用者が団体で待っているときでも、１台の車椅子を輸送することしかできず、車椅子を搭載するための特殊踏段を展開収納動作させなければならないので、特殊踏段の変形動作に要する時間だけ待ち時間が増えることになる。
【００１４】
また、車椅子運転時の速度を一定とすると、特に階高が大きなエスカレータでは車椅子輸送効率が低いと待ち時間を長く感じたり、利用客の多いエスカレータでは、一般乗客においても待ちや階段の利用など輸送効率の低下による混雑を生じることが予測される。
【００１５】
本発明の目的は、車椅子利用者の輸送効率を高めると共に、一般利用者に対するサービスの向上も図れるエスカレータを提供することである。
【００１６】
【課題を解決するための手段】
請求項１の発明に係わるエスカレータは、上階フロアと下階フロアとを循環経路に沿って循環走行するエスカレータにおいて、循環経路の対称の位置に設けられ車椅子を搭載可能な特殊踏段と、上階および下階に設けられ車椅子運転モードを選択する車椅子運転ボタン及びシャトル運転を選択するシャトル運転ボタンを有した運転操作盤と、上階および下階の双方またはいずれか一方で前記車椅子運転ボタンにより前記車椅子運転モードが選択されたときは選択された階床の双方またはいずれか一方の階床で特殊踏段を変形し車椅子運転を行い、前記車椅子運転ボタンが選択されかつ前記シャトル運転ボタンが選択されているときは、前記特殊踏段を上昇下降の往復運転とする制御装置とを備えたことを特徴とする。
【００１７】
請求項１の発明に係わるエスカレータにおいては、上階フロアと下階フロアとの循環経路の対称の位置に車椅子を搭載可能な特殊踏段を設け、制御装置は、上階および下階の双方またはいずれか一方で、運転操作盤の車椅子運転ボタンにより車椅子運転モードが選択されたときは、その選択された階床の双方またはいずれか一方の階床で特殊踏段を変形し車椅子運転を行う。これにより、上階および下階の特殊踏段を同時に変形をして車椅子を輸送するを可能とし、待ち時間を削減して輸送効率を向上させる。また、制御装置は、車椅子運転ボタンが選択されかつシャトル運転ボタンが選択されているときは、特殊踏段を上昇下降の往復運転（シャトル運転）とする。これにより、往復運転時の特殊踏段の変形動作を省略して待ち時間を削減して輸送効率を向上させる。
【００１８】
請求項２の発明に係わるエスカレータは、請求項１の発明において、通常運転または車椅子運転の運転モードを出力させる出力装置を設けたことを特徴とする。
【００１９】
請求項２の発明に係わるエスカレータにおいては、請求項１の発明の作用に加え、出力装置には通常運転または車椅子運転の運転モードが出力される。これにより、操作員が誤操作するのを確実に防止する。
【００２２】
請求項３の発明に係わるエスカレータは、請求項１または請求項２の発明において、前記運転操作盤に連続車椅子運転ボタンを設け、前記制御装置は、前記車椅子運転ボタンが選択されかつ前記連続車椅子運転ボタンが選択されているときは、前記特殊踏段を一定方向に循環させる連続車椅子運転を行うことを特徴とする。
【００２３】
請求項３の発明に係わるエスカレータにおいては、請求項１または請求項２の発明の作用に加え、制御装置は、車椅子運転ボタンが選択されかつ連続車椅子運転ボタンが選択されているときは、特殊踏段を一定方向に循環させる連続車椅子運転を行う。これにより、待ち時間を削減して輸送効率を向上させると共に、車椅子運転中に車椅子と共に他の乗客を上階または下階にそれぞれ輸送することができる。
【００２４】
請求項４の発明に係わるエスカレータは、請求項１乃至請求項３のいずれか１項の発明において、前記制御装置は、前記特殊踏段に車椅子を搭載しない帰還運転を行う場合には、前記特殊踏段を途中まで復帰させた半収納状態で運転することを特徴とする。
【００２５】
請求項４の発明に係わるエスカレータにおいては、請求項１乃至請求項３のいずれか１項の発明の作用に加え、制御装置は、特殊踏段に車椅子を搭載しない帰還運転を行う場合には、特殊踏段を途中まで復帰させた半収納状態で運転する。これにより、周囲の人々に対してエスカレータは帰還運転中のために乗ることができないことを認知させることができ、誤って他の乗客が乗ることを防止できる。
【００２６】
請求項５の発明に係わるエスカレータは、請求項１乃至請求項４のいずれか１項の発明において、前記車椅子運転モードでの往復運転と通常の車椅子運転とで異なる音楽を出力させる音楽出力装置を設けたことを特徴とする。
【００２７】
請求項５の発明に係わるエスカレータにおいては、請求項１乃至請求項４のいずれか１項の発明の作用に加え、音楽出力装置は、車椅子運転モードでの往復運転と通常の車椅子運転とで異なる音楽を出力する。これにより、聴覚的に運転状態の違いを認識させ、操作員が誤操作するのを確実に防止する。
【００２８】
請求項６の発明に係わるエスカレータは、請求項１乃至請求項５のいずれか１項の発明において、前記制御装置は、前記車椅子運転モードで往復運転または一定方向に循環させる連続車椅子運転を行うときは、通常の車椅子運転の速度より速い速度で運転することを特徴とする。
【００２９】
請求項６の発明に係わるエスカレータにおいては、請求項１乃至請求項５のいずれか１項の発明の作用に加え、制御装置は、車椅子運転モードで往復運転または一定方向に循環させる連続車椅子運転を行うときは、通常の車椅子運転の速度より速い速度で運転する。
【００３０】
【発明の実施の形態】
以下、本発明の実施の形態を説明する。図１は本発明の第１の実施の形態に係わるエスカレータの構成図である。エスカレータ１は上階フロア２ａと下階フロア２ｂとの間を循環経路に沿って走行し、右が上昇側であり左が下降側としたものを示している。従って、下階フロア２ｂから上階フロア２ａに踏段が移動すると上階フロア２ａで踏段が左側に回転して下階フロア２ｂへ下降する。
【００３１】
エスカレータ１の踏段の一部は車椅子の搭載が可能な特殊踏段３ａ、３ｂとなっており、特殊踏段３ａと対称の位置に特殊踏段３ｂが設置されている。この特殊踏段３ａ、３ｂに車椅子４が搭載されることになる。特殊踏段３ａ、３ｂは水平三段式あるいは回転展開式のいずれかが用いられる。
【００３２】
上階フロア２ａには、車椅子運転モードを選択する車椅子運転ボタンを有した運転操作盤５ａが設けられており、また、特殊踏段３ａ、３ｂが上階フロア２ａで停止する位置を検出する停止位置検出器６ａ、６ａ’が設けられている。同様に下階フロア２ｂにも、車椅子運転モードを選択する車椅子運転ボタンを有した運転操作盤５ｂが設けられており、また、特殊踏段３ａ、３ｂが下階フロア２ｂで停止する位置を検出する停止位置検出器６ｂ、６ｂ’が設けられている。
【００３３】
制御装置７は運転操作盤５ａ、５ｂからの入力によりエスカレータ１を運転制御するものであり、車椅子運転の指示や乗込み確認や車椅子停止が入力されると、エスカレータ１を駆動するモータ８を駆動制御してエスカレータの運転を制御する。
【００３４】
図２は、運転操作盤５ａ、５ｂの操作面の平面図である。車椅子運転ボタン９は通常運転と車椅子運転とを切り換えるボタンであり、車椅子運転ボタン９が「入」であるときには車椅子運転となる。乗降確認ボタン１０は、車椅子運転の際に車椅子が特殊踏段３に乗ったことや降りたことを確認するためのボタンである。
【００３５】
すなわち、車椅子運転ボタン９を「入」にすると、特殊踏段３が上階フロア２ａ、２ｂに来たときに特殊踏段３を展開する。そして、車椅子４が特殊踏段３に乗り込み完了後に乗降確認ボタン１０を入力するとエスカレータが始動する。また、車椅子４が特殊踏段３から降りた後に、乗降確認ボタン１０を入力すると特殊踏段３の収納動作に入り車椅子運転を終了する。
【００３６】
運転停止スイッチ１１は車椅子運転中に車椅子運転を止めたいときに操作されるボタンである。また、運転表示灯として故障灯１２と運転灯１３とが設けられ、エスカレータ１の運転状態を表示するようにしている。
【００３７】
図３は、第１の実施の形態に係わるエスカレータの動作を示すフローチャートである。通常運転状態では、エスカレータ１は左回転で循環運転している。つまり、左側が下りで右側が上りで循環走行をしている。
【００３８】
この状態で運転操作盤５ａ、５ｂの車椅子運転ボタン９が操作され車椅子運転が選択されたか否かを判定する（Ｓ１）。車椅子運転ボタン９により車椅子運転が選択されているときは、停止位置検出器６ａ、６ｂが特殊踏段３ａ、３ｂを検出したか否かを判定する（Ｓ２）。つまり、特殊踏段３ａ、３ｂが上階フロア２ａおよび下階フロア２ｂの到着したことを検出する。
【００３９】
特殊踏段３ａ、３ｂが上階フロア２ａおよび下階フロア２ｂの到着したことが検出されたときは、車椅子運転の呼びが上階呼びであるか否かを判定し（Ｓ３）、車椅子運転が上階呼びであるときは、上階の特殊踏段３ａに対して展開指令を出力する（Ｓ４）。また、車椅子運転の呼びが下階呼びであるか否かを判定し（Ｓ５）、車椅子運転が下階呼びであるときは、下階の特殊踏段３ｂに対して展開指令を出力する（Ｓ６）。
【００４０】
そして、特殊踏段３ａ、３ｂの展開指令が出ている特殊踏段を車椅子用に変形する（Ｓ７）。この場合、モータ８を停止あるいは低速で回転させ、エスカレータ１を停止あるいは微速で運転させながら特殊踏段３ａ、３ｂを変形させて車椅子４が搭載できるようにする。
【００４１】
ここで、特殊踏段の展開指令が出ていない方の特殊踏段３ａ、３ｂは展開させない。従って、上階および下階の双方で車椅子運転の呼びがある場合には双方の特殊踏段３ａ、３ｂを変形し、いずれか一方の車椅子運転の呼びであるときは、呼びのある方の特殊踏段３ａ、３ｂを展開変形することになる。
【００４２】
特殊踏段３ａ、３ｂを変形した後に、乗降確認ボタン１０が操作されたか否かを判定する（Ｓ８）。乗降確認ボタン１０が操作されたときは、特殊踏段３ａ、３ｂに車椅子利用者が乗り込んだと判断し車椅子輸送運転を行う（Ｓ９）。これにより、モータ８の回転速度を上げて車椅子４を右側は上階フロア２ａへ、左側は下階フロア２ｂへ輸送する。
【００４３】
そして、目的階の停止位置検出器６ａ’、６ｂ’により特殊踏段３ａ、３ｂが目的階に着床したか否かを判定し（Ｓ１０）、停止位置検出器６ａ’、６ｂ’が特殊踏段３ａ、３ｂを検出したときは、エスカレータ１を停止あるいは微速運転とし着床制御を行う（Ｓ１１）。
【００４４】
そして、乗降確認ボタン１０が操作されたか否かを判定する（Ｓ１２）。乗降確認ボタン１０が操作されたときは、特殊踏段３ａ、３ｂが着床して車椅子利用者が特殊踏段３ａ、３ｂから降りたと判断し、特殊踏段３ａ、３ｂを収納して（Ｓ１３）、車椅子運転を終了し通常運転に戻る（Ｓ１４）。
【００４５】
この第１の実施の形態によれば、車椅子運転の呼びのあった上階および下階の双方または一方で、特殊踏段３ａ、３ｂを展開して同時に車椅子を輸送できるので、上階および下階共に車椅子４を輸送する場合の待ち時間を削減することができ、運転効率が向上できる。
【００４６】
次に、本発明の第２の実施の形態について説明する。図４は本発明の第２の実施の形態に係わるエスカレータの構成図である。この第２の実施の形態は、図１に示した第１の実施の形態に対し、上階フロア２ａおよび下階フロア２ｂにそれぞれ通常運転または車椅子運転の運転モードを出力させる出力装置１４ａ、１４ｂを設けたものである。その他の構成は、図１に示した第１の実施の形態と同一であるので、同一要素には同一符号を付し重複する記載は省略する。
【００４７】
図４に示すように、上階フロア２ａおよび下階フロア２ｂには出力装置１４ａ、１４ｂが設けられており、運転操作盤５ａ、５ｂの車椅子運転ボタン９により車椅子運転が選択されたときには、その旨を出力装置１４ａ、１４ｂに文字表示や音声の力で出力し、エスカレータ利用者や操作員に車椅子運転モードである旨を報知する。
【００４８】
車椅子運転ボタン９により車椅子運転モードが選択されているときは、例えば、「車椅子運転モードです」と出力し、通常運転モードであるときは、「通常運転モードです」などの出力を行う。これにより、エスカレータ利用者や操作員が誤操作するのを確実に防止する。
【００４９】
図５は、第２の実施の形態に係わるエスカレータの動作を示すフローチャートである。この第２の実施の形態では、図３に示した第１の実施の形態に対し、ステップＳ２１、Ｓ２２を追加したものである。
【００５０】
通常運転状態では、エスカレータ１は左回転で循環運転している。つまり、左側が下りで右側が上りで循環走行をしている。この状態で運転操作盤５ａ、５ｂの車椅子運転ボタン９が操作され車椅子運転が選択されたか否かを判定する（Ｓ１）。車椅子運転が選択されていない通常運転モードであるときには、通常運転の出力を行う（Ｓ２１）。例えば、「通常運転モードです」との表示出力または音声出力を行う。
【００５１】
一方、車椅子運転が選択された車椅子運転モードであるときには、車椅子運転の出力を行う（Ｓ２２）。例えば、「車椅子運転モードです」との表示出力または音声出力を行う。そして、停止位置検出器６ａ、６ｂが特殊踏段３ａ、３ｂを検出したか否かを判定する（Ｓ２）。つまり、特殊踏段３ａ、３ｂが上階フロア２ａおよび下階フロア２ｂの到着したことを検出する。
【００５２】
特殊踏段３ａ、３ｂが上階フロア２ａおよび下階フロア２ｂの到着したことが検出されたときは、車椅子運転の呼びが上階呼びであるか否かを判定し（Ｓ３）、車椅子運転が上階呼びであるときは、上階の特殊踏段３ａに対して展開指令を出力する（Ｓ４）。また、車椅子運転の呼びが下階呼びであるか否かを判定し（Ｓ５）、車椅子運転が下階呼びであるときは、下階の特殊踏段３ｂに対して展開指令を出力する（Ｓ６）。
【００５３】
次に、特殊踏段３ａ、３ｂの展開指令が出ている特殊踏段を車椅子用に変形する（Ｓ７）。この場合、モータ８を停止あるいは低速で回転させ、エスカレータ１を停止あるいは微速で運転させながら特殊踏段３ａ、３ｂを変形させて車椅子４が搭載できるようにする。
【００５４】
ここで、特殊踏段の展開指令が出ていない方の特殊踏段３ａ、３ｂは展開させない。従って、上階および下階の双方で車椅子運転の呼びがある場合には双方の特殊踏段３ａ、３ｂを変形し、いずれか一方の車椅子運転の呼びであるときは、呼びのある方の特殊踏段３ａ、３ｂを展開変形することになる。
【００５５】
特殊踏段３ａ、３ｂを変形した後に、乗降確認ボタン１０が操作されたか否かを判定する（Ｓ８）。乗降確認ボタン１０が操作されたときは、特殊踏段３ａ、３ｂに車椅子利用者が乗り込んだと判断し車椅子輸送運転を行う（Ｓ９）。これにより、モータ８の回転速度を上げて車椅子４を右側は上階フロア２ａへ、左側は下階フロア２ｂへ輸送する。
【００５６】
そして、目的階の停止位置検出器６ａ’、６ｂ’により特殊踏段３ａ、３ｂが目的階に着床したか否かを判定し（Ｓ１０）、停止位置検出器６ａ’、６ｂ’が特殊踏段３ａ、３ｂを検出したときは、エスカレータ１を停止あるいは微速運転とし着床制御を行う（Ｓ１１）。
【００５７】
そして、乗降確認ボタン１０が操作されたか否かを判定する（Ｓ１２）。乗降確認ボタン１０が操作されたときは、特殊踏段３ａ、３ｂが着床して車椅子利用者が特殊踏段３ａ、３ｂから降りたと判断し、特殊踏段３ａ、３ｂを収納して（Ｓ１３）、車椅子運転を終了し通常運転に戻る（Ｓ１４）。
【００５８】
この第２の実施の形態によれば、車椅子運転モードである場合には車椅子運転であることを、通常運転モードである場合には通常運転であることを出力するので、操作員の誤操作を確実に防止することができる。また、他の乗客へ周知することができるので誤ってエスカレータに乗ってしまうことを防止できる。
【００５９】
次に、本発明の第３の実施の形態を説明する。図６は本発明の第３の実施の形態に係わるエスカレータの動作を示すフローチャートである。この第３の実施の形態は、図１に示した第１の実施の形態に対し、ステップＳ３１、Ｓ３２を追加し、車椅子運転モードにおいて特殊踏段３ａ、３ｂを上昇下降の往復運転（シャトル運転）とするようにしたものである。
【００６０】
この場合、運転操作盤５ａ、５ｂにシャトル運転ボタンを設け、制御装置７は、車椅子運転ボタン９が選択されかつシャトル運転ボタンが選択されているときには、特殊踏段３ａ、３ｂを上昇下降の往復運転（シャトル運転）とする。また、運転操作盤５ａ、５ｂには、シャトル運転であることを表示するためのシャトル運転灯を設ける。
【００６１】
図６において、通常運転状態では、エスカレータ１は左回転で循環運転している。つまり、左側が下りで右側が上りで循環走行をしている。この状態で運転操作盤５ａ、５ｂの車椅子運転ボタン９が操作され車椅子運転が選択されたか否かを判定する（Ｓ１）。車椅子運転ボタン９により車椅子運転が選択されているときは、停止位置検出器６ａ、６ｂが特殊踏段３ａ、３ｂを検出したか否かを判定する（Ｓ２）。つまり、特殊踏段３ａ、３ｂが上階フロア２ａおよび下階フロア２ｂの到着したことを検出する。
【００６２】
特殊踏段３ａ、３ｂが上階フロア２ａおよび下階フロア２ｂの到着したことが検出されたときは、車椅子運転の呼びが上階呼びであるか否かを判定し（Ｓ３）、車椅子運転が上階呼びであるときは、上階の特殊踏段３ａに対して展開指令を出力する（Ｓ４）。また、車椅子運転の呼びが下階呼びであるか否かを判定し（Ｓ５）、車椅子運転が下階呼びであるときは、下階の特殊踏段３ｂに対して展開指令を出力する（Ｓ６）。
【００６３】
そして、特殊踏段３ａ、３ｂの展開指令が出ている特殊踏段を車椅子用に変形する（Ｓ７）。この場合、モータ８を停止あるいは低速で回転させ、エスカレータ１を停止あるいは微速で運転させながら特殊踏段３ａ、３ｂを変形させて車椅子４が搭載できるようにする。
【００６４】
ここで、特殊踏段の展開指令が出ていない方の特殊踏段３ａ、３ｂは展開させない。従って、上階および下階の双方で車椅子運転の呼びがある場合には双方の特殊踏段３ａ、３ｂを変形し、いずれか一方の車椅子運転の呼びであるときは、呼びのある方の特殊踏段３ａ、３ｂを展開変形することになる。
【００６５】
特殊踏段３ａ、３ｂを変形した後に、乗降確認ボタン１０が操作されたか否かを判定する（Ｓ８）。乗降確認ボタン１０が操作されたときは、特殊踏段３ａ、３ｂに車椅子利用者が乗り込んだと判断し車椅子輸送運転を行う（Ｓ９）。これにより、モータ８の回転速度を上げて車椅子４を右側は上階フロア２ａへ、左側は下階フロア２ｂへ輸送する。
【００６６】
そして、目的階の停止位置検出器６ａ’、６ｂ’により特殊踏段３ａ、３ｂが目的階に着床したか否かを判定し（Ｓ１０）、停止位置検出器６ａ’、６ｂ’が特殊踏段３ａ、３ｂを検出したときは、エスカレータ１を停止あるいは微速運転とし着床制御を行う（Ｓ１１）。
【００６７】
着床制御が行われ特殊踏段３ａ、３ｂが停止すると、車椅子利用者は特殊踏段３ａ、３ｂから降りることになる。ここで、シャトル運転を行うために他の車椅子を搭載する。そして、操作員は運転操作盤５ａ、５ｂの乗降確認ボタン１０およびシャトル運転ボタンを操作することになる。
【００６８】
制御装置８は乗降確認ボタン１０が操作されたか否かを判定し（Ｓ１２）、乗降確認ボタン１０が操作されたときは、シャトル運転ボタンが操作されシャトル運転モードになっているか否かを判定する（Ｓ３１）。シャトル運転モードであるときは、通常運転の逆方向の右回転で車椅子運転を行う（Ｓ３２）。つまり、シャトル運転を行いステップＳ１０へ戻る。
【００６９】
一方、ステップＳ３１の判定でシャトル運転モードが解除されていると判定したときは、特殊踏段３ａ、３ｂを収納して（Ｓ１３）、車椅子運転を終了し通常運転に戻る（Ｓ１４）。
【００７０】
この第３の実施の形態によれば、上階および下階で特殊踏段３ａ、３ｂを展開して同時に車椅子を輸送できると共に、逆方向の車椅子利用者が待っているときは、特殊踏段３ａ、３ｂの展開収納動作を省略して運転できるので、上階および下階共に車椅子利用者が多い場合に待ち時間を削減することができ運転効率が向上できる。
【００７１】
次に、本発明の第４の実施の形態を説明する。図７は本発明の第４の実施の形態に係わるエスカレータの動作を示すフローチャートである。この第４の実施の形態は、図１に示した第１の実施の形態に対し、ステップＳ４１を追加し、車椅子運転モードにおいて特殊踏段３ａ、３ｂを一定方向に循環させる連続車椅子運転を行うようにしたものである。
【００７２】
この場合、運転操作盤５ａ、５ｂに連続車椅子運転ボタンを設け、制御装置７は、車椅子運転ボタン９が選択されかつ連続車椅子運転ボタンが選択されているときには、特殊踏段３ａ、３ｂを一定方向に循環させる連続車椅子運転とする。また、運転操作盤５ａ、５ｂには、連続車椅子運転であることを表示するための連続車椅子運転灯を設ける。
【００７３】
図７において、通常運転状態では、エスカレータ１は左回転で循環運転している。つまり、左側が下りで右側が上りで循環走行をしている。この状態で運転操作盤５ａ、５ｂの車椅子運転ボタン９が操作され車椅子運転が選択されたか否かを判定する（Ｓ１）。車椅子運転ボタン９により車椅子運転が選択されているときは、停止位置検出器６ａ、６ｂが特殊踏段３ａ、３ｂを検出したか否かを判定する（Ｓ２）。つまり、特殊踏段３ａ、３ｂが上階フロア２ａおよび下階フロア２ｂの到着したことを検出する。
【００７４】
特殊踏段３ａ、３ｂが上階フロア２ａおよび下階フロア２ｂの到着したことが検出されたときは、車椅子運転の呼びが上階呼びであるか否かを判定し（Ｓ３）、車椅子運転が上階呼びであるときは、上階の特殊踏段３ａに対して展開指令を出力する（Ｓ４）。また、車椅子運転の呼びが下階呼びであるか否かを判定し（Ｓ５）、車椅子運転が下階呼びであるときは、下階の特殊踏段３ｂに対して展開指令を出力する（Ｓ６）。
【００７５】
そして、特殊踏段３ａ、３ｂの展開指令が出ている特殊踏段を車椅子用に変形する（Ｓ７）。この場合、モータ８を停止あるいは低速で回転させ、エスカレータ１を停止あるいは微速で運転させながら特殊踏段３ａ、３ｂを変形させて車椅子４が搭載できるようにする。
【００７６】
ここで、特殊踏段の展開指令が出ていない方の特殊踏段３ａ、３ｂは展開させない。従って、上階および下階の双方で車椅子運転の呼びがある場合には双方の特殊踏段３ａ、３ｂを変形し、いずれか一方の車椅子運転の呼びであるときは、呼びのある方の特殊踏段３ａ、３ｂを展開変形することになる。
【００７７】
特殊踏段３ａ、３ｂを変形した後に、乗降確認ボタン１０が操作されたか否かを判定する（Ｓ８）。乗降確認ボタン１０が操作されたときは、特殊踏段３ａ、３ｂに車椅子利用者が乗り込んだと判断し車椅子輸送運転を行う（Ｓ９）。これにより、モータ８の回転速度を上げて車椅子４を右側は上階フロア２ａへ、左側は下階フロア２ｂへ輸送する。
【００７８】
そして、目的階の停止位置検出器６ａ’、６ｂ’により特殊踏段３ａ、３ｂが目的階に着床したか否かを判定し（Ｓ１０）、停止位置検出器６ａ’、６ｂ’が特殊踏段３ａ、３ｂを検出したときは、エスカレータ１を停止あるいは微速運転とし着床制御を行う（Ｓ１１）。
【００７９】
そして、乗降確認ボタン１０が操作されたか否かを判定する（Ｓ１２）。乗降確認ボタン１０が操作されたときは、特殊踏段３ａ、３ｂが着床して車椅子利用者が特殊踏段３ａ、３ｂから降りたと判断し、特殊踏段３ａ、３ｂを収納し（Ｓ１３）、通常速度に戻すかあるいは低速運転を続ける。
【００８０】
次に、運転操作盤５ａ、５ｂの連続車椅子運転ボタンが操作され連続車椅子運転モードとなっているか否かを判定する（Ｓ４１）。連続車椅子運転モードであるときは、ステップＳ２に戻り車椅子運転を継続する。一方、連続車椅子運転モードでないときは、車椅子運転を終了し通常運転に戻る（Ｓ１４）。
【００８１】
この第４の実施の形態によれば、上階および下階で特殊踏段３ａ、３ｂを展開して同時に車椅子を輸送し、同一方向の車椅子利用者が待っているときは、連続して車椅子運転を行うので、上階および下階で車椅子を輸送する場合の待ち時間を削減することができる。また、戻りの逆方向の場合に車椅子以外の乗客を輸送することができる。
【００８２】
次に、本発明の第５の実施の形態について説明する。図８は本発明の第５の実施の形態に係わるエスカレータの構成図である。この第５の実施の形態は、図４に示した第２の実施の形態に対し、特殊踏段３ａ、３ｂに荷重検出器１５ａ、１５ｂを追加け、図６に示した第３の実施の形態におけるシャトル運転を行う際に特殊踏段３ａ、３ｂの荷重を検出し、制御装置７は特殊踏段３ａ、３ｂに車椅子４を搭載しないで帰還運転を行う場合には、特殊踏段３ａ、３ｂを途中まで復帰させた半収納状態で運転するようにしたものである。これにより、周囲の人々に対してエスカレータは帰還運転中のために乗ることができないことを認知させることができ、誤って他の乗客が乗ることを防止できる。
【００８３】
図９は、本発明の第５の実施の形態に係わるエスカレータの動作を示すフローチャートである。図６に示した第３の実施の形態に対し、ステップＳ５１、Ｓ５２、Ｓ５３、Ｓ５４が追加されれいる。
【００８４】
図９において、通常運転状態では、エスカレータ１は左回転で循環運転している。つまり、左側が下りで右側が上りで循環走行をしている。この状態で運転操作盤５ａ、５ｂの車椅子運転ボタン９が操作され車椅子運転が選択されたか否かを判定する（Ｓ１）。車椅子運転ボタン９により車椅子運転が選択されているときは、停止位置検出器６ａ、６ｂが特殊踏段３ａ、３ｂを検出したか否かを判定する（Ｓ２）。つまり、特殊踏段３ａ、３ｂが上階フロア２ａおよび下階フロア２ｂの到着したことを検出する。
【００８５】
特殊踏段３ａ、３ｂが上階フロア２ａおよび下階フロア２ｂの到着したことが検出されたときは、車椅子運転の呼びが上階呼びであるか否かを判定し（Ｓ３）、車椅子運転が上階呼びであるときは、上階の特殊踏段３ａに対して展開指令を出力する（Ｓ４）。また、車椅子運転の呼びが下階呼びであるか否かを判定し（Ｓ５）、車椅子運転が下階呼びであるときは、下階の特殊踏段３ｂに対して展開指令を出力する（Ｓ６）。
【００８６】
そして、特殊踏段３ａ、３ｂの展開指令が出ている特殊踏段を車椅子用に変形する（Ｓ７）。この場合、モータ８を停止あるいは低速で回転させ、エスカレータ１を停止あるいは微速で運転させながら特殊踏段３ａ、３ｂを変形させて車椅子４が搭載できるようにする。
【００８７】
ここで、特殊踏段の展開指令が出ていない方の特殊踏段３ａ、３ｂは展開させない。従って、上階および下階の双方で車椅子運転の呼びがある場合には双方の特殊踏段３ａ、３ｂを変形し、いずれか一方の車椅子運転の呼びであるときは、呼びのある方の特殊踏段３ａ、３ｂを展開変形することになる。
【００８８】
特殊踏段３ａ、３ｂを変形した後に、乗降確認ボタン１０が操作されたか否かを判定する（Ｓ８）。乗降確認ボタン１０が操作されたときは、特殊踏段３ａの荷重検出器１５ａが荷重を検出したか否かを判定し（Ｓ５１）、特殊踏段３ａの荷重検出器１５ａが荷重を検出しないときは特殊踏段３ａを半収納し（Ｓ５２）、次に、特殊踏段３ｂの荷重検出器１５ｂが荷重を検出したか否かを判定する（Ｓ５３）。そして、特殊踏段３ｂの荷重検出器１５ａが荷重を検出しないときは特殊踏段３ｂを半収納し（Ｓ５４）、車椅子輸送運転を行う（Ｓ９）。
【００８９】
一方、ステップＳ５１、Ｓ５３の判定で荷重検出器１５ａ、１５ｂが荷重を検出したときは、特殊踏段３ａ、３ｂを変形したまま車椅子輸送運転を行う（Ｓ９）。車椅子輸送運転では、モータ８の回転速度を上げて車椅子４を右側は上階フロア２ａへ、左側は下階フロア２ｂへ輸送する。
【００９０】
そして、目的階の停止位置検出器６ａ’、６ｂ’により特殊踏段３ａ、３ｂが目的階に着床したか否かを判定し（Ｓ１０）、停止位置検出器６ａ’、６ｂ’が特殊踏段３ａ、３ｂを検出したときは、エスカレータ１を停止あるいは微速運転とし着床制御を行う（Ｓ１１）。
【００９１】
着床制御が行われ特殊踏段３ａ、３ｂが停止すると、車椅子利用者は特殊踏段３ａ、３ｂから降りることになる。ここで、シャトル運転を行うために他の車椅子を搭載する。そして、操作員は運転操作盤５ａ、５ｂの乗降確認ボタン１０およびシャトル運転ボタンを操作することになる。
【００９２】
制御装置８は乗降確認ボタン１０が操作されたか否かを判定し（Ｓ１２）、乗降確認ボタン１０が操作されたときは、シャトル運転ボタンが操作されシャトル運転モードになっているか否かを判定する（Ｓ３１）。シャトル運転モードであるときは、通常運転の逆方向の右回転で車椅子運転を行う（Ｓ３２）。つまり、シャトル運転を行いステップＳ５１へ戻る。
【００９３】
一方、ステップＳ３１の判定でシャトル運転モードが解除されていると判定したときは、特殊踏段３ａ、３ｂを収納して（Ｓ１３）、車椅子運転を終了し通常運転に戻る（Ｓ１４）。
【００９４】
この第５の実施の形態によれば、上階および下階で特殊踏段３ａ、３ｂを展開して同時に車椅子を輸送できると共に、逆方向の車椅子利用者が待っているときは、シャトル運転を行うので特殊踏段３ａ、３ｂの展開収納動作を省略して運転できる。また、シャトル運転を行う場合に、車椅子４を搭載しないときは半収納状態としてエスカレータを走行させるので、エスカレータに搭乗できないことを周囲の人々に対して認識させることができる。従って、誤って他の乗客が乗ることを防止できる。
【００９５】
次に、本発明の第６の実施の形態について説明する。図１０は本発明の第６の実施の形態に係わるエスカレータの構成図である。この第６の実施の形態は、図１に示した第１の実施の形態に対し、車椅子運転モードでの往復運転（シャトル運転）と通常の車椅子運転とで異なる音楽を出力させる音楽出力装置１６ａ、１６ｂを設けたものである。
【００９６】
図１０に示すように、上階フロア２ａおよび下階フロア２ｂには、音楽出力装置１６ａ、１６ｂが設けられ、車椅子運転モードでの往復運転（シャトル運転）と通常の車椅子運転とで異なる音楽を出力する。これにより、聴覚的に運転状態の違いを認識させ、操作員が誤操作するのを確実に防止する。
【００９７】
図１１は、本発明の第６の実施の形態に係わるエスカレータの動作を示すフローチャートである。図６に示した第３の実施の形態に対し、ステップＳ６１、Ｓ６２、Ｓ６３が追加されている。
【００９８】
通常運転状態では、エスカレータ１は左回転で循環運転している。つまり、左側が下りで右側が上りで循環走行をしている。この状態で運転操作盤５ａ、５ｂの車椅子運転ボタン９が操作され車椅子運転が選択されたか否かを判定する（Ｓ１）。そして、車椅子運転モードであるときは、シャトル運転モードであるか否かを判定する（Ｓ６１）。
【００９９】
シャトル運転モードであるときには、音楽出力装置１６ａ、１６ｂにバックグランドミュージックとしてＢＧＭ１を出力する（Ｓ６２）。これにより、車椅子運転モードでかつシャトル運転モードであることを報知する。一方、ステップＳ６１の判定でシャトル運転モードではないときは、音楽出力装置１６ａ、１６ｂにＢＧＭ１とは異なるＢＧＭ２を出力する（Ｓ６３）。これにより、シャトル運転モードではない通常の車椅子運転モードであることを報知する。
【０１００】
次に、停止位置検出器６ａ、６ｂが特殊踏段３ａ、３ｂを検出したか否かを判定する（Ｓ２）。つまり、特殊踏段３ａ、３ｂが上階フロア２ａおよび下階フロア２ｂの到着したことを検出する。
【０１０１】
特殊踏段３ａ、３ｂが上階フロア２ａおよび下階フロア２ｂの到着したことが検出されたときは、車椅子運転の呼びが上階呼びであるか否かを判定し（Ｓ３）、車椅子運転が上階呼びであるときは、上階の特殊踏段３ａに対して展開指令を出力する（Ｓ４）。また、車椅子運転の呼びが下階呼びであるか否かを判定し（Ｓ５）、車椅子運転が下階呼びであるときは、下階の特殊踏段３ｂに対して展開指令を出力する（Ｓ６）。
【０１０２】
そして、特殊踏段３ａ、３ｂの展開指令が出ている特殊踏段を車椅子用に変形する（Ｓ７）。この場合、モータ８を停止あるいは低速で回転させ、エスカレータ１を停止あるいは微速で運転させながら特殊踏段３ａ、３ｂを変形させて車椅子４が搭載できるようにする。
【０１０３】
ここで、特殊踏段の展開指令が出ていない方の特殊踏段３ａ、３ｂは展開させない。従って、上階および下階の双方で車椅子運転の呼びがある場合には双方の特殊踏段３ａ、３ｂを変形し、いずれか一方の車椅子運転の呼びであるときは、呼びのある方の特殊踏段３ａ、３ｂを展開変形することになる。
【０１０４】
特殊踏段３ａ、３ｂを変形した後に、乗降確認ボタン１０が操作されたか否かを判定する（Ｓ８）。乗降確認ボタン１０が操作されたときは、特殊踏段３ａ、３ｂに車椅子利用者が乗り込んだと判断し車椅子輸送運転を行う（Ｓ９）。これにより、モータ８の回転速度を上げて車椅子４を右側は上階フロア２ａへ、左側は下階フロア２ｂへ輸送する。
【０１０５】
そして、目的階の停止位置検出器６ａ’、６ｂ’により特殊踏段３ａ、３ｂが目的階に着床したか否かを判定し（Ｓ１０）、停止位置検出器６ａ’、６ｂ’が特殊踏段３ａ、３ｂを検出したときは、エスカレータ１を停止あるいは微速運転とし着床制御を行う（Ｓ１１）。
【０１０６】
着床制御が行われ特殊踏段３ａ、３ｂが停止すると、車椅子利用者は特殊踏段３ａ、３ｂから降りることになる。ここで、シャトル運転を行うために他の車椅子を搭載する。そして、操作員は運転操作盤５ａ、５ｂの乗降確認ボタン１０およびシャトル運転ボタンを操作することになる。
【０１０７】
制御装置８は乗降確認ボタン１０が操作されたか否かを判定し（Ｓ１２）、乗降確認ボタン１０が操作されたときは、シャトル運転ボタンが操作されシャトル運転モードになっているか否かを判定する（Ｓ３１）。シャトル運転モードであるときは、通常運転の逆方向の右回転で車椅子運転を行う（Ｓ３２）。つまり、シャトル運転を行いステップＳ１０へ戻る。
【０１０８】
一方、ステップＳ３１の判定でシャトル運転モードが解除されていると判定したときは、特殊踏段３ａ、３ｂを収納して（Ｓ１３）、車椅子運転を終了し通常運転に戻る（Ｓ１４）。
【０１０９】
この第６の実施の形態によれば、車椅子運転モードが通常の車椅子運転モードかシャトル運転モードかにより、異なるバックグランドミュージックＢＧＭを出力するので、操作員の誤操作を防止することができる。
【０１１０】
次に、本発明の第７の実施の形態を説明する。図１２は本発明の第７の実施の形態に係わるエスカレータの動作を示すフローチャートである。この第７の実施の形態は、図６に示した第３の実施の形態に対し、ステップＳ７１、Ｓ７２、Ｓ７３を追加すると共に、ステップＳ３２に代えてステップＳ７４を設け、車椅子運転モードで往復運転（シャトル運転）を行うときは、通常の車椅子運転の速度より速い速度で運転するようにしたものである。
【０１１１】
図１２において、通常運転状態では、エスカレータ１は左回転で循環運転している。つまり、左側が下りで右側が上りで循環走行をしている。この状態で運転操作盤５ａ、５ｂの車椅子運転ボタン９が操作され車椅子運転が選択されたか否かを判定する（Ｓ１）。車椅子運転ボタン９により車椅子運転が選択されているときは、停止位置検出器６ａ、６ｂが特殊踏段３ａ、３ｂを検出したか否かを判定する（Ｓ２）。つまり、特殊踏段３ａ、３ｂが上階フロア２ａおよび下階フロア２ｂの到着したことを検出する。
【０１１２】
特殊踏段３ａ、３ｂが上階フロア２ａおよび下階フロア２ｂの到着したことが検出されたときは、車椅子運転の呼びが上階呼びであるか否かを判定し（Ｓ３）、車椅子運転が上階呼びであるときは、上階の特殊踏段３ａに対して展開指令を出力する（Ｓ４）。また、車椅子運転の呼びが下階呼びであるか否かを判定し（Ｓ５）、車椅子運転が下階呼びであるときは、下階の特殊踏段３ｂに対して展開指令を出力する（Ｓ６）。
【０１１３】
そして、特殊踏段３ａ、３ｂの展開指令が出ている特殊踏段を車椅子用に変形する（Ｓ７）。この場合、モータ８を停止あるいは低速で回転させ、エスカレータ１を停止あるいは微速で運転させながら特殊踏段３ａ、３ｂを変形させて車椅子４が搭載できるようにする。
【０１１４】
ここで、特殊踏段の展開指令が出ていない方の特殊踏段３ａ、３ｂは展開させない。従って、上階および下階の双方で車椅子運転の呼びがある場合には双方の特殊踏段３ａ、３ｂを変形し、いずれか一方の車椅子運転の呼びであるときは、呼びのある方の特殊踏段３ａ、３ｂを展開変形することになる。
【０１１５】
特殊踏段３ａ、３ｂを変形した後に、乗降確認ボタン１０が操作されたか否かを判定する（Ｓ８）。そして、乗降確認ボタン１０が操作されたときはシャトル運転ボタンが操作されたか否かを判定し（Ｓ７１）、シャトル運転ボタンが操作されていないときはシャトル運転モードではないと判断し、エスカレータの速度を通常の速度Ｖ（Ｖ＝ＶＭ）に設定する（Ｓ７２）。一方、ステップＳ７１でシャトル運転モードであると判定されたときは、エスカレータの速度を通常速度よりも速い速度Ｖ＝ＶＨ（ＶＨ＞ＶＭ）に設定する（Ｓ７３）。
【０１１６】
そして、車椅子輸送運転を行う（Ｓ９）。車椅子輸送運転では、モータ８の回転速度を上げて車椅子４を右側は上階フロア２ａへ、左側は下階フロア２ｂへ輸送する。次に、目的階の停止位置検出器６ａ’、６ｂ’により特殊踏段３ａ、３ｂが目的階に着床したか否かを判定し（Ｓ１０）、停止位置検出器６ａ’、６ｂ’が特殊踏段３ａ、３ｂを検出したときは、エスカレータ１を停止あるいは微速運転とし着床制御を行う（Ｓ１１）。
【０１１７】
着床制御が行われ特殊踏段３ａ、３ｂが停止すると、車椅子利用者は特殊踏段３ａ、３ｂから降りることになる。ここで、シャトル運転を行うために他の車椅子を搭載する。そして、操作員は運転操作盤５ａ、５ｂの乗降確認ボタン１０およびシャトル運転ボタンを操作することになる。
【０１１８】
制御装置８は乗降確認ボタン１０が操作されたか否かを判定し（Ｓ１２）、乗降確認ボタン１０が操作されたときは、シャトル運転ボタンが操作されシャトル運転モードになっているか否かを判定する（Ｓ３１）。シャトル運転モードであるときは、エスカレータの速度を通常速度より速い速度Ｖ＝ＶＨに設定して（Ｓ７４）、ステップＳ９に戻り逆方向の右回転で車椅子運転を行う。
【０１１９】
一方、ステップＳ３１の判定でシャトル運転モードが解除されていると判定したときは、特殊踏段３ａ、３ｂを収納して（Ｓ１３）、車椅子運転を終了し通常運転に戻る（Ｓ１４）。
【０１２０】
以上の説明では、車椅子運転モードで往復運転（シャトル運転）を行う場合について説明したが、車椅子運転モードで一定方向に循環させる連続車椅子運転を行うときにも同様に適用できることは言うまでもない。
【０１２１】
この第７の実施の形態によれば、上階および下階で特殊踏段３ａ、３ｂを展開して同時に車椅子を輸送でき、シャトル運転の場合は通常より速い速度で運転するので、上階および下階共に車椅子を輸送する場合の待ち時間を削減することができ、運転効率が向上できる。
【０１２２】
【発明の効果】
以上述べたように、本発明の請求項１の発明によれば、上階フロアと下階フロアとを循環経路の対称の位置に車椅子を搭載可能な特殊踏段を設け、上階および下階の特殊踏段を同時に変形をして車椅子を輸送するので、車椅子利用者の待ち時間を削減でき輸送効率を向上できる。
【０１２３】
請求項２の発明によれば、通常運転であることおよび車椅子運転であることを出力装置に出力し報知するので、操作員が誤操作するのを確実に防止できる。
【０１２４】
請求項３の発明によれば、特殊踏段を展開した状態で運転を行う際に、特殊踏段の収納動作を行わずに上昇下降往復運転を行うので、往復運転時の特殊踏段の変形動作を省略でき待ち時間を削減できる。
【０１２５】
請求項４の発明によれば、車椅子運転を行っている際に、一定方向に循環して連続で車椅子運転を行うので、待ち時間を削減でき輸送効率を向上させると共に、車椅子運転中に車椅子と共に他の乗客を上階および下階にそれぞれ輸送できる。
【０１２６】
請求項５の発明によれば、往復運転を行っている際に、車椅子を搭載せずに帰還運転を行う場合には、特殊踏段を途中まで復帰させて帰還運転させるので、周囲の人々に対してエスカレータは帰還運転中のために乗ることができないことを認知させることができる。従って、誤って他の乗客が乗ることを防止できる。
【０１２７】
請求項６の発明によれば、往復運転や連続車椅子運転と通常の車椅子運転とで異なる音楽を音楽出力装置に出力して、聴覚的に運転状態の違いを認識させるので、操作員が誤操作するのを確実に防止できる。
【０１２８】
請求項７の発明によれば、シャトル運転や連続車椅子運転を行う際は通常速度より速い速度で運転するので、輸送効率を向上させ待ち時間を短縮することができる。
【図面の簡単な説明】
【図１】本発明の第１の実施の形態に係わるエスカレータの構成図。
【図２】本発明の第１の実施の形態における運転操作盤の操作面の平面図。
【図３】本発明の第１の実施の形態に係わるエスカレータの動作を示すフローチャート。
【図４】本発明の第２の実施の形態に係わるエスカレータの構成図。
【図５】本発明の第２の実施の形態に係わるエスカレータの動作を示すフローチャート。
【図６】本発明の第３の実施の形態に係わるエスカレータの動作を示すフローチャート。
【図７】本発明の第４の実施の形態に係わるエスカレータの動作を示すフローチャート。
【図８】本発明の第５の実施の形態に係わるエスカレータの構成図。
【図９】本発明の第５の実施の形態に係わるエスカレータの動作を示すフローチャート。
【図１０】本発明の第６の実施の形態に係わるエスカレータの構成図。
【図１１】本発明の第６の実施の形態に係わるエスカレータの動作を示すフローチャート。
【図１２】本発明の第７の実施の形態に係わるエスカレータの動作を示すフローチャート。
【図１３】従来の車椅子ステップ付きエスカレータの構成図。
【図１４】従来の特殊踏段の展開状態を示す斜視図。
【符号の説明】
１…エスカレータ、２ａ…上階フロア、２ｂ…下階フロア、３…特殊踏段、４…車椅子、５…運転操作盤、６…停止位置検出器、７…制御装置、８…モータ、９…車椅子運転ボタン、１０…乗降確認ボタン、１１…運転停止ボタン、１２…故障灯、１３…運転灯、１４…出力装置、１５…荷重検出器、１６…音楽出力装置
【図１】
0004666779.tif 000002
【図２】
0004666779.tif 000003
【図３】
0004666779.tif 000004
【図４】
0004666779.tif 000005
【図５】
0004666779.tif 000006
【図６】
0004666779.tif 000007
【図７】
0004666779.tif 000008
【図８】
0004666779.tif 000009
【図９】
0004666779.tif 000010
【図１０】
0004666779.tif 000011
【図１１】
0004666779.tif 000012
【図１２】
0004666779.tif 000013
【図１３】
0004666779.tif 000014
【図１４】
0004666779.tif 000015